(57)【要約】 【課題】プラズマ表示装置における消費電力の低下と発光効率の向上を図る。【解決手段】プラズマ表示装置の表示電極Ｘ１とＹ１が、それぞれ、前面ガラス基板１の内面側に形成されて放電セルＣ１毎に対になっているとともに、表示電極Ｘ１とＹ１が基板に沿って延びる誘電体層２によってそれぞれ被覆され、この誘電体層２の表面が、対になっている表示電極Ｘ１とＹ１間に印加される交流電圧によって電子を放出する電界電子放出層３によって被覆され、放電セルＣ１毎に対になっている表示電極Ｘ１とＹ１が、電界電子放出層３と放電空間を挟んで放電ギャップｇ１を介して互いに対向されている。【選択図】図２
2008066177.tif 000002
【特許請求の範囲】
【請求項１】
一対の基板が放電空間を介して互いに対向され、この一対の基板の間に少なくとも第１表示電極と第２表示電極が配置され、この第１表示電極と第２表示電極によって放電空間に単位発光領域が形成されているプラズマ表示装置において、
前記第１表示電極と第２表示電極が、それぞれ、一対の基板の何れかの基板の内面側に形成されて単位発光領域毎に対になっているとともに、誘電体層によって被覆され、
前記誘電体層の表面が、対になっている第１表示電極と第２表示電極間に印加される交流電圧によって電子を放出する電界電子放出層によって被覆され、
前記単位発光領域毎に対になっている第１表示電極と第２表示電極が、電界電子放出層と放電空間を挟んで放電ギャップを介して互いに対向されている、
ことを特徴とするプラズマ表示装置。
【請求項２】
前記第１表示電極および第２表示電極が表示面側となる基板の内面側に形成され、誘電体層が第１表示電極および第２表示電極に沿って帯状に延びるように形成されている請求項１に記載のプラズマ表示装置。
【請求項３】
前記第１表示電極および第２表示電極が表示面側となる基板の内面側に形成され、誘電体層が、単位発光領域内の第１表示電極と第２表示電極が対向する領域に凹部を有している請求項１に記載のプラズマ表示装置。
【請求項４】
前記一対の基板の間に、第１表示電極および第２表示電極と離間して交差する方向に選択電極が配置されている請求項１に記載のプラズマ表示装置。
【請求項５】
前記電子放出層が冷陰極材料によって形成されている請求項１に記載のプラズマ表示装置。
【請求項６】
前記冷陰極材料が、形状効果材料，負性電子親和力材料，カーボンナノチューブのうちの何れか、または、これらの材料が任意に組み合わされた材料である請求項５に記載のプラズマ表示装置。
【請求項７】
前記第１表示電極および第２表示電極が一方の基板側に形成されている請求項１ないし５の何れかに記載のプラズマ表示装置。
【請求項８】
前記第１表示電極および第２表示電極が、それぞれ、列方向に隣接する単位発光領域の間の部分に対向する位置において行方向に延びる電極本体部と、行方向に隣接する単位発光領域の間の部分に対向する位置において電極本体部から列方向に延びる複数の電極突出部とを有し、
前記第１表示電極の電極突出部と第２表示電極の電極突出部が行方向に交互に配置されて、単位発光領域を挟んで放電ギャップを介して互いに対向されている請求項７に記載のプラズマ表示装置。
【請求項９】
前記第１表示電極の電極突出部と第２表示電極の電極突出部が、それぞれの電極本体部から列方向の両側に延びている請求項８に記載のプラズマ表示装置。
【請求項１０】
前記一対の基板の間に、行方向に延びる横壁部と列方向に延びる縦壁部とを有する略格子形状の隔壁が形成され、
前記第１表示電極と第２表示電極のそれぞれの電極本体部が隔壁の横壁部に対向し、電極突出部が隔壁の縦壁部に対向している請求項８または９に記載のプラズマ表示装置。
【請求項１１】
前記第１表示電極と第２表示電極により、単位発光領域毎に複数の放電ギャップが形成されている請求項７に記載のプラズマ表示装置。
【請求項１２】
前記複数の放電ギャップは、それぞれ、単位発光領域毎に第２表示電極とその両側に間隔を空けて配置された第１表示電極との間に形成されている請求項１１に記載のプラズマ表示装置。
【請求項１３】
前記第１表示電極が一方の基板側に形成され、第２表示電極が他方の基板側に形成されて、基板の厚さ方向において各単位発光領域毎に放電ギャップを介して対向されている請求項１ないし６の何れかに記載のプラズマ表示装置。
【請求項１４】
前記一対の基板のうちの一方の基板の列方向に隣接する単位発光領域の間の部分に対向する位置に、それぞれ、基板の内面側から他方の基板側に突出するとともに行方向に延びる複数の突出誘電体層が形成され、各突出誘電体層の行方向に延びる一方の側面に第１表示電極が形成され他方の側面に第２表示電極が形成されて、列方向に隣接する突出誘電体層にそれぞれ形成された第１表示電極と第２表示電極が単位発光領域毎に放電ギャップを介して対向されている請求項１３に記載のプラズマ表示装置。
【請求項１５】
前記一対の基板の間に、少なくとも行方向に延びる横壁部を有する隔壁が形成されて、突出誘電体層がそれぞれ隔壁の横壁部に対向している請求項１４に記載のプラズマ表示装置。
【発明の詳細な説明】
【技術分野】
【０００１】
この発明は、プラズマ表示装置のパネル構成に関する。
【背景技術】
【０００２】
一般に、プラズマディスプレイパネル（以下、ＰＤＰという）は、二枚の基板の間に形成された放電セル内において一対の放電電極間で放電を発生させ、この放電によって放電セル内に封入された放電ガス中のキセノンを励起して真空紫外線を発生させて、この真空紫外線によって赤，緑，青の蛍光体層を発光させることにより、マトリクス表示による画像形成を行うようになっている。
【０００３】
このような構成のＰＤＰの一対の放電電極間における放電は、放電電極を被覆している誘電体層に蓄積された電荷を利用して放電を開始するとともに、この放電によって発生するイオンの二次電子放出によって放電を維持するグロー放電である。
【０００４】
このため、放電によって生じるエネルギーのうちイオンの電離に使用されるエネルギーは、放電ガスからの真空紫外線の放出に直接には寄与しないので、その分、発光効率が低下する等という問題がある。
【０００５】
また、このような構成のＰＤＰは、一般に、放電電極を被覆する誘電体層の表面を被覆する保護層がＭｇＯ膜によって形成されており、放電中にこのＭｇＯ膜から放電セル内に二次電子放出が行われるが、このＭｇＯ膜の放電ガス中のキセノンに対する二次電子放出効率は非常に低く、発光効率の向上や低消費電力化に対して十分に機能していない。
【０００６】
このため、従来のＰＤＰには、各放電セルに弾道電子面放出型の電子エミッタを設けて、この電子エミッタから放電セル内に電子を放出することにより、放電によるエネルギの効率的な使用によって、発光効率の向上を図るようにしたものが提案されている（特許文献１参照）。
【０００７】
しかしながら、この従来のＰＤＰの電子エミッタは、放電開始時に初期的な電子を放電セル内に供給する程度のもので、十分な発光効率の向上効果は期待できない。
【０００８】
さらに、この従来のＰＤＰの電子エミッタは、二枚の電極の間に多孔質半導体層からなる強電界ドリフト層が挟まれた構成を備えていて、二枚の電極間に直流電圧が印加されることによって、一方の電極から強電界ドリフト層に供給される電子を他方の電極から放電セル内に放出するようになっているものであり、電子エミッタ用の直流電源を必要とするため、製品の低廉化や消費電力の低下といった課題を達成する上での障害になる。
【０００９】
近年、消費電力の低下と発光効率の向上をさらに図ることが出来るプラズマ表示装置の開発が強く要望されている。
【００１０】
【特許文献１】特開２００２−１５０９４４号公報
【発明の開示】
【発明が解決しようとする課題】
【００１１】
この発明は、上記のような従来のＰＤＰにおける課題を達成することをその解決課題の一つとしている。
【課題を解決するための手段】
【００１２】
この発明（請求項１に記載の発明）によるプラズマ表示装置は、上記課題を達成するために、一対の基板が放電空間を介して互いに対向され、この一対の基板の間に少なくとも第１表示電極と第２表示電極が配置され、この第１表示電極と第２表示電極によって放電空間に単位発光領域が形成されているプラズマ表示装置において、前記第１表示電極と第２表示電極が、それぞれ、一対の基板の何れかの基板の内面側に形成されて単位発光領域毎に対になっているとともに、誘電体層によって被覆され、前記誘電体層の表面が、対になっている第１表示電極と第２表示電極間に印加される交流電圧によって電子を放出する電界電子放出層によって被覆され、前記単位発光領域毎に対になっている第１表示電極と第２表示電極が、電界電子放出層と放電空間を挟んで放電ギャップを介して互いに対向されていることを特徴としている。
【発明を実施するための最良の形態】
【００１３】
この発明は、前面基板と背面基板が放電空間を介して互いに対向され、この前面基板と背面基板の間に少なくとも第１表示電極と第２表示電極が配置され、この第１表示電極と第２表示電極によって放電空間に放電セルが形成され、第１表示電極と第２表示電極が、それぞれ、前面基板と背面基板の何れかの基板の内面側に形成されて放電セル毎に対になっているとともに、誘電体層によって被覆され、この誘電体層の表面が、対になっている第１表示電極と第２表示電極間に印加される交流電圧によって電子を放出する電界電子放出層によって被覆され、放電セル毎に対になっている第１表示電極と第２表示電極が、電界電子放出層と放電空間を挟んで放電ギャップを介して互いに対向されているプラズマ表示装置を、その最良の実施形態としている。
【００１４】
この実施形態におけるプラズマ表示装置の第１表示電極と第２表示電極の配置の態様は、例えば、第１表示電極と第２表示電極が、それぞれ、列方向に隣接する単位発光領域の間の部分に対向する位置において行方向に延びる電極本体部と行方向に隣接する単位発光領域の間の部分に対向する位置において電極本体部から列方向に延びる複数の電極突出部を有し、第１表示電極と第２表示電極が同じ基板側に形成されて列方向に交互に並設され、第１表示電極の電極突出部と第２表示電極の電極突出部が行方向に交互に配置されて、それぞれ放電セルを挟んで放電ギャップを介して互いに対向される形態や、第１表示電極と第２表示電極が前面基板側に形成されているとともに、第２表示電極が放電セルの中央部に対向する位置において行方向に延びており、この第２表示電極の両側に放電セル毎に行方向に延びる二本の第１表示電極がそれぞれ第２表示電極に対して列方向に放電ギャップを開けて配置されている形態、第１表示電極が前面基板側に形成され、第２表示電極が背面基板側に形成されて、基板の厚さ方向において各放電セル毎に放電ギャップを介して対向されている形態、前面基板の列方向に隣接する放電セルの間の部分に対向する位置に、それぞれ、基板の内面側から背面基板側に突出するとともに行方向に延びる複数の突出誘電体層が形成され、各突出誘電体層の行方向に延びる一方の側面に第１表示電極が形成され他方の側面に第２表示電極が形成されて、列方向に隣接する突出誘電体層にそれぞれ形成された第１表示電極と第２表示電極が放電セル毎に放電ギャップを介して対向されている形態等が挙げられる。
【００１５】
そして、上記実施形態において、電界電子放出層を形成する材料としては、第１表示電極と第２表示電極の間に形成される電界により電子を放出する特性を有する材料、例えば、冷陰極材料である形状効果材料，負性電子親和力材料，カーボンナノチューブのうちの何れか、または、これらの材料が任意に組み合わされた材料が用いられる。
【００１６】
この実施形態によるＰＤＰは、第１表示電極と第２表示電極の間に交流電圧が印加されて、この第１表示電極と第２表示電極間において画像形成のための放電が発生される際に、交流電圧の印加によって交互に陰極となる第１表示電極または第２表示電極側の電界電子放出層から放電セル内に電子が放出されて、この電子が第１表示電極と第２表示電極間で加速されることにより、陽極側に移動する。
【００１７】
このとき、放出された電子が、放電空間内に封入された放電ガスのガス原子・分子と衝突して電離も発生する。
【００１８】
そして、陰極側の第１表示電極または第２表示電極から放電セル内に放出された電子が、強い電離が起きない程度の強さの電界によって加速されて励起に適した電子エネルギ分布を形成し、ガス原子・分子の電離に使用されない電子が、蛍光体層を発光させる放電ガスからの真空紫外線の生成に使用される。
【００１９】
以上のように、上記プラズマ表示装置によれば、第１表示電極と第２表示電極が、電界電子放出層および放電空間を介して対向する位置に配置されて、交流電圧の印加によって電界電子放出層から放電空間内に電子が放出されるようになっていることにより、電子のエネルギーを効率的にガス原子・分子の励起に利用することが出来、消費電力の低下を図ることが出来るとともに、高い発光効率を得ることができる。
【００２０】
さらに、上記プラズマ表示装置は、放電の際に第１表示電極と第２表示電極間に交流電圧が印加されることによって、第１表示電極，第２表示電極と電界電子放出層をそれぞれ静電結合する誘電体層によって形成される静電容量が充電されてしまうことにより電界電子放出層からの電子放出が停止した後、逆極性の電場が印加されることにより、交互に電子放出が継続される。
【００２１】
また、上記プラズマ表示装置は、電界電子放出層が、例えば、形状効果材料，負性電子親和力材料，カーボンナノチューブなど冷陰極材料のうちの何れか、または、これらの材料を任意に組み合わせた材料によって形成される場合に、放電開始電圧以下の電圧で電子放出閾電界以上の電界を得ることが出来るので、放電を持続させるための空間電荷によって強い電界を形成することなく、低駆動電圧によって放電セル内への電子放出を効率良く行うことが出来るようになる。
【実施例１】
【００２２】
図１および２は、この発明によるプラズマ表示装置の実施形態の第１実施例を示しており、図１はこの第１実施例におけるプラズマ表示装置を模式的に示す正面図、図２は図１のII−II線における断面図である。
【００２３】
この図１および２に示されるプラズマ表示装置は、表示面である前面ガラス基板１の背面に、それぞれ行方向に延びる複数の表示電極対（Ｘ１，Ｙ１）が、列方向（図１の上下方向）に等間隔に配置されている。
【００２４】
そして、各表示電極対（Ｘ１，Ｙ１）を構成する表示電極Ｘ１とＹ１は、それぞれ、行方向に交互に配置されて互いに放電ギャップｇ１を介して対向されている。
【００２５】
この表示電極Ｘ１とＹ１は、それぞれ、誘電体層２によって被覆されている。
【００２６】
この誘電体層２は、前面ガラス基板１の背面の全面を覆うのではなく、表示電極Ｘ１とＹ１に沿って行方向に棒状に延びるように形成されている。
【００２７】
そして、この誘電体層２の表面には、その全面を被覆するように、例えば、形状効果材料，負性電子親和力材料，カーボンナノチューブなど冷陰極材料のうちの何れか、または、これらの材料を任意に組み合わせた材料によって、電界電子放出層３が形成されている。
【００２８】
この前面ガラス基板１には、背面ガラス基板４が所要の間隔を開けて平行に対向され、この背面ガラス基板４の前面ガラス基板１に対向する側の面上には、複数の選択電極Ｄが、それぞれ列方向に延びるように、互いに所定の間隔を開けて平行に配列されている。
【００２９】
背面ガラス基板４の面上には、さらに、選択電極Ｄを被覆する選択電極保護層(誘電体層）５が形成され、この選択電極保護層５上に、隔壁６が形成されている。
【００３０】
この隔壁６は、隣接する表示電極対（Ｘ１，Ｙ１）の間の位置に対向する位置においてそれぞれ行方向に延びる横壁６Ａと、隣接する選択電極Ｄの間の位置に対向する位置においてそれぞれ列方向に延びる縦壁６Ｂとによって略格子形状に成形されている。
【００３１】
そして、この略格子形状の隔壁６によって、前面ガラス基板１と背面ガラス基板４の間の放電空間が、それぞれ方形に区画されて放電セルＣ１が形成されている。
【００３２】
この各放電セルＣ１内において、隔壁６の横壁６Ａおよび縦壁６Ｂの側面と選択電極保護層５の表面には、これらの五つの面を全て覆うように蛍光体層７が形成されており、この蛍光体層７の色は、各放電セルＣ１毎に色分けされて赤，緑，青の三原色が行方向に順に並ぶように配列されている。
【００３３】
放電空間内には、キセノンを含む放電ガスが封入されている。
【００３４】
上記プラズマ表示装置の駆動は、以下のようにして行われる。
【００３５】
すなわち、表示電極Ｘ１とＹ１間または表示電極Ｘ１とＹ１の一方と選択電極Ｄ間における全ての放電セルＣ１を初期化するリセット放電の発生の後、表示電極Ｙ１と選択電極Ｄ間で選択的にアドレス放電が発生されて、アドレス放電が発生された放電セルＣ１に対向する部分の表示電極Ｙ１を被覆している電子放出層３の表面に壁電荷が蓄積される。
【００３６】
これによって、電子放出層３に壁電荷が蓄積されている放電セルＣ１（発光セル）と誘電体層２の壁電荷が消去されている放電セルＣ１（非発光セル）が、映像信号の画像データに対応してパネル面に分布される。
【００３７】
次に、表示電極Ｘ１とＹ１に、放電ギャップｇ１における電界の向きが反転を繰り返すように、交流電圧が印加される。
【００３８】
この交流電圧の印加によって、誘電体層２に壁電荷が蓄積されている放電セルＣ１（発光セル）内において表示電極Ｘ１とＹ１間で放電（サステイン放電）が開始され、この放電によって放電セルＣ１内に電子が放出される。
【００３９】
これとともに、放電セルＣ１内には、交流電圧の印加によって交互に陰極となる表示電極Ｘ１またはＹ１側の電界電子放出層３から電子が放出され、この電界電子放出層３から放出された電子が、表示電極Ｘ１とＹ１間で加速されて陽極側に移動する際に、放電ガスのガス原子・分子と衝突してこれを励起して電離させる。
【００４０】
これによって、電界中の電子が増加して、このサステイン放電が維持される。
【００４１】
そして、このサステイン放電によって発生する電子によって放電ガス中のキセノンが励起されて真空紫外線が発生され、この真空紫外線によって赤，緑，青の三原色に色分けされた蛍光体層７が発光することにより、パネル面にマトリクス表示による画像が形成される。
【００４２】
ここで、このサステイン放電時に、表示電極Ｘ１とＹ１に放電ギャップｇ１における電界の向きが反転を繰り返すような交流電圧が印加されるのは、以下のような理由による。
【００４３】
すなわち、図３に模式的に示されるように、表示電極Ｘ１，Ｙ１と電界電子放出層３がそれぞれ誘電体層２によって形成される静電容量Ｃ（２）によって静電結合されているため、印加される電圧が一定の場合には、電界電子放出層３が帯電して静電容量Ｃ（２）が充電されて電界電子放出層３の表面の電界が電子放出に必要な閾電界以下になってしまうので、電界電子放出層３からの電子放出が停止してしまって、電極間を移動する電子が制限されてしまうことになるためである。
【００４４】
この表示電極Ｘ１，Ｙ１への交流電圧への印加は、陰極となる表示電極Ｘ１またはＹ１の近傍において、空間電子の存在によるグロー放電の陰極降下を生じさせないような波形を有する交流電圧パルスによって行われる。
【００４５】
このような交流電圧パルスの印加によって、陰極側の表示電極Ｘ１またはＹ１の近傍に生じる陰極降下によって形成される大きな電界によってイオンが加速されて陰極部に入射するのが防止され、これによって、陰極部がダメージを受けたり、異常な放電が発生したりするのが回避される。
【００４６】
また、表示電極Ｘ１，Ｙ１と電界電子放出層３がそれぞれ誘電体層２によって形成される静電容量によって静電結合されることにより、表示電極Ｘ１，Ｙ１間に形成される電界を、電界電子放出層３から放電セルＣ１内に放出される電子が必要以上に強い電離を発生させることのない程度の大きさに設定することが可能になる。
【００４７】
なお、上記のような交流（ＡＣ）型のプラズマ表示装置の場合、電界電子放出層３が帯電することによって印加電圧との重畳が生じるので、放電を維持するメモリ効果や、印加される交流電圧の振幅を小さくすることが可能になる等の効果を期待することが出来る。
【００４８】
図４は、表示電極Ｘ１，Ｙ１間の距離ｄ（図３参照）を一定にして、放電ガス圧ｐを変化させたときの放電開始電圧Ｖｆの変化、すなわち、プラズマ表示装置のＶｆ（ｐｄ）特性を示すグラフであり、Ｅｔｈは、冷陰極部の電子放出閾電界を示している。
【００４９】
上記のプラズマ表示装置において、陰極側の電界電子放出層３が電子を放出するためには、表示電極Ｘ１，Ｙ１間の電圧がＶ＝Ｅｔｈ・ｄ以上であることが必要であり、かつ、表示電極Ｘ１，Ｙ１間の所望の放電が持続されるためには、表示電極Ｘ１，Ｙ１間の電圧が放電開始電圧Ｖｆ以下であることが必要である。
【００５０】
なお、従来のＰＤＰの場合には、放電ガスの組成および電極間距離，陰極となる電極の二次電子放出係数によって決まる電圧以上の放電開始電圧によって放電が開始される。
【００５１】
従って、プラズマ表示装置の電極間において所望の放電が形成されるのは、図４の領域ａ内の値の電圧が表示電極間に印加されている場合であり、サステイン放電時に表示電極Ｘ１とＹ１に印加される交流電圧パルスの電圧の値は、この図４の領域ａ内の値になるように設定される。
【００５２】
なお、表示電極Ｘ１とＹ１に印加される交流電圧パルスの電圧の値が図４の領域ｂ内の値になるように設定される場合でも、放電セルＣ内の放電ガス圧ｐが低いために発光効率の改善効果は小さいが、サステイン放電は発生する。
【００５３】
上記プラズマ表示装置は、電界電子放出層３が、例えば、形状効果材料，負性電子親和力材料，カーボンナノチューブなど冷陰極材料のうちの何れか、または、これらの材料が任意に組み合わされた材料によって形成されていることによって、放電開始電圧Ｖｆ以下の電圧で電子放出閾電界Ｅｔｈ以上の電界を得ることが出来、図４の領域ａおよびｂにおいて、サステイン放電を持続させるための空間電荷によって強い電界が形成されることなく、放電セルＣ１内に電子が供給されるとともに、例えば、画素ピッチが０．３ｍｍ程度の超高精細パネルにおいても、１００〜２００Ｖ程度の低い駆動電圧で、放電セルＣ１内への電子放出を効率良く行うことが出来るようになる。
【００５４】
上記プラズマ表示装置は、表示電極Ｘ１とＹ１および電界電子放出層３が放電空間を介して対向する位置に配置されていること、および、交流電圧の印加によって電界電子放出層３から放電空間内に電子が放出されるようになっていることにより、駆動時に表示電極Ｘ１，Ｙ１間（電界電子放出層３間）の放電空間内にほぼ均一な電界が形成されて、この放電空間内に形成されるほぼ均一な電界Ｅと放電ガスのガス圧力ｐとによる換算電界Ｅ／ｐが低くなって、放電ガスの励起に適した電子エネルギ分布を得ることが出来ると考えられ、これによって、放電セルＣ１内における電離を抑制して放電ガス中のキセノンの高い励起効率（真空紫外線の発生効率）を得ることが出来る。
【００５５】
また、従来のＰＤＰにおいては、グロー放電の陰極降下部においてガス原子の強い電離と励起が発生し、この陰極降下部に続く電子密度の高い負グロー部においてガス原子の励起が発生するため、この陰極降下部および負グロー部においては放電を持続させるために比較的強い電界が形成されて電子エネルギが高くなっており、このため、電子が有しているエネルギのうちガス原子を電離するために消費されるエネルギの割合が大きくなる。
【００５６】
これに対し、上記プラズマ表示装置は、放電開始電圧Ｖｔｈ以下の印加電圧によって駆動されるとともに電子放出閾電界Ｅｔｈ以上の電界が動作電界として形成されて、放電空間内で十分な電離を起こさせなくても、放電ガスの励起に必要な電子数を得ることができる。
【００５７】
上述したように、上記プラズマ表示装置において、表示電極Ｘ１とＹ１の陰極側から放電セルＣ１内に放出された電子は、強い電離が起きない程度の強さの電界により加速されて励起に適した電子エネルギ分布を形成し、そして、ガス原子の電離に使用されない電子によって、放電ガス中のキセノンを励起して真空紫外線を放出させ、各放電セルＣ１内に形成されている赤，緑，青の蛍光体層７を発光させる。
【００５８】
なお、このプラズマ表示装置においては、電界電子放出層３からの電子放出条件は、放電ガスのガス組成条件に大きくは依存しないと考えられ、このため、放電ガスの選択の自由度が大きくなる。
【００５９】
従って、このプラズマ表示装置には、例えば、キセノン分圧が非常に高い純キセノン・ガス等の放電ガスや、ガス材料費がキセノンに比べて大幅に安く、１４６ｎｍ分子線によって蛍光体を発光させるのでＣＭＳなど低劣化青色蛍光体の使用も可能にするクリプトンの分圧が非常に高い純クリプトン・ガス等の放電ガスを用いることが出来る。
【００６０】
また、動作電圧が高く４００ｎｍ付近のファースト・ネガティブと呼ばれる強い発光バンドを示すＮ2ガスであっても、低い動作電圧で３３２ｎｍ付近のセカンド・ポジティブと呼ばれる発光バンドを利用することができる可能性もある。
【００６１】
以上のように、上記プラズマ表示装置によれば、表示電極Ｘ１とＹ１および電界電子放出層３が放電空間を介して対向する位置に配置されており、交流電圧の印加によって電界電子放出層３から放電空間内に電子が放出されるようになっていることによって、低消費電力により高い発光効率を得ることができる。
【００６２】
なお、上記においては、選択電極Ｄが背面ガラス基板４側に形成されている例が示されているが、選択電極が表示電極と同じ前面ガラス基板側に配置されている場合であっても、同様の効果を得ることが出来る。
また、上記においては、電界電子放出層３が表示電極Ｘ１およびＹ１の周囲にのみ形成されている例が示されているが、前面ガラス基板１の背面の全面に形成されるようにしても良い。
【実施例２】
【００６３】
図５および６は、この発明によるプラズマ表示装置の実施形態の第２実施例を示しており、図５はこの第２実施例におけるプラズマ表示装置を模式的に示す正面図、図６は図５のVI−VI線における断面図である。
【００６４】
この図５および６に示されるプラズマ表示装置は、表示面である前面ガラス基板１の背面に、それぞれ複数の表示電極Ｘ２とＹ２が、列方向（図５の上下方向）に等間隔に交互に配置されている。
【００６５】
この表示電極Ｘ２とＹ２は、それぞれ、行方向に延びる帯状の電極本体部Ｘ２ａ，Ｙ２ａと、この電極本体部Ｘ２ａ，Ｙ２ａの等間隔位置から列方向の両側に延びる帯状の電極突出部Ｘ２ｂ，Ｙ２ｂとから構成されている。
【００６６】
この表示電極Ｘ２，Ｙ２の電極本体部Ｘ２ａ，Ｙ２ａおよび電極突出部Ｘ２ｂ，Ｙ２ｂは、何れも、厚膜に形成されている。
【００６７】
そして、この表示電極Ｘ２とＹ２は、行方向に延びる電極本体部Ｘ２ａとＹ２ａが、列方向に後述するような放電セルの列方向の幅以上の間隔を明けて交互に等間隔に位置されるとともに、それぞれの電極突出部Ｘ２ｂとＹ２ｂが、行方向に後述するような放電セルの行方向の幅以上の間隔を明けて交互に等間隔に位置される状態で、配置されている。
【００６８】
さらに、この表示電極Ｘ２とＹ２の隣接する電極突出部Ｘ２ｂとＹ２ｂは、それぞれ、行方向において互いに放電ギャップｇ２を介して対向されている。
【００６９】
この表示電極Ｘ２とＹ２は、それぞれ、誘電体層１２によって被覆されている。
【００７０】
この誘電体層１２は、前面ガラス基板１の背面の全面を覆うのではなく、表示電極Ｘ２とＹ２のそれぞれ電極本体部Ｘ２ａ，Ｙ２ａと電極突出部Ｘ２ｂ，Ｙ２ｂに沿って行方向および列方向に棒状に延びるパターンを構成するように形成されている。
【００７１】
そして、この誘電体層１２の表面には、その全面を被覆するように、例えば、形状効果材料，負性電子親和力材料，カーボンナノチューブなど冷陰極材料のうちの何れか、または、これらの材料を任意に組み合わせた材料によって、電界電子放出層１３が形成されている。
【００７２】
この前面ガラス基板１には、背面ガラス基板４が所要の間隔を空けて平行に対向され、この背面ガラス基板４の前面ガラス基板１に対向する側の面上には、複数の選択電極Ｄが、それぞれ、互いに放電ギャップｇ２を介して対向する電極突出部Ｘ２ｂとＹ２ｂの中間位置に対向する位置において列方向に延びるように、互いに所定の間隔を開けて平行に配列されている。
【００７３】
背面ガラス基板４の面上には、さらに、選択電極Ｄを被覆する選択電極保護層(誘電体層）５が形成され、この選択電極保護層５上に、隔壁６が形成されている。
【００７４】
この隔壁６は、表示電極Ｘ２の電極本体部Ｘ２ａに対向する位置および表示電極Ｙ２の電極本体部Ｙ２ａに対向する位置においてそれぞれ行方向に延びる横壁６Ａと、表示電極Ｘ２の電極突出部Ｘ２ｂに対向する位置および表示電極Ｙ２の電極突出部Ｙ２ｂに対向する位置においてそれぞれ列方向に延びる縦壁６Ｂとによって略格子形状に成形されている。
【００７５】
そして、この略格子形状の隔壁６によって、前面ガラス基板１と背面ガラス基板４の間の放電空間が、それぞれ方形に区画されて放電セルＣ１が形成されている。
【００７６】
この各放電セルＣ１内において、隔壁６の横壁６Ａおよび縦壁６Ｂの側面と選択電極保護層５の表面には、これらの五つの面を全て覆うように蛍光体層７が形成されており、この蛍光体層７の色は、各放電セルＣ１毎に色分けされて赤，緑，青の三原色が行方向に順に並ぶように配列されている。
【００７７】
放電空間内には、キセノンを含む放電ガスが封入されている。
【００７８】
上記プラズマ表示装置の駆動は、以下のようにして行われる。
【００７９】
すなわち、表示電極Ｘ２とＹ２間または表示電極Ｘ２とＹ２の一方と選択電極Ｄ間における全ての放電セルＣ１を初期化するリセット放電の発生の後、表示電極Ｙ２と選択電極Ｄ間で選択的にアドレス放電が発生されて、アドレス放電が発生された放電セルＣ１に対向する部分の表示電極Ｙ２を被覆している電子放出層１３の表面に壁電荷が蓄積される。
【００８０】
これによって、電子放出層１３に壁電荷が蓄積されている放電セルＣ１（発光セル）と誘電体層１２の壁電荷が消去されている放電セルＣ１（非発光セル）が、映像信号の画像データに対応してパネル面に分布される。
【００８１】
次に、表示電極Ｘ２とＹ２に、放電ギャップｇ２における電界の向きが反転を繰り返すように、交流電圧が印加される。
【００８２】
この交流電圧の印加によって、誘電体層１２に壁電荷が蓄積されている放電セルＣ１（発光セル）内において表示電極Ｘ２とＹ２間で放電（サステイン放電）が開始され、この放電によって放電セルＣ１内に電子が放出される。
【００８３】
これとともに、放電セルＣ１内には、交流電圧の印加によって交互に陰極となる表示電極Ｘ２またはＹ２側の電界電子放出層１３から電子が放出され、この電界電子放出層１３から放出された電子が、表示電極Ｘ２とＹ２間で加速されて陽極側に移動する際に、放電ガスのガス原子・分子と衝突してこれを励起して電離させる。
【００８４】
これによって、電界中の電子が増加して、このサステイン放電が維持される。
【００８５】
そして、このサステイン放電によって発生する電子によって放電ガス中のキセノンが励起されて真空紫外線が発生され、この真空紫外線によって赤，緑，青の三原色に色分けされた蛍光体層７が発光することにより、パネル面にマトリクス表示による画像が形成される。
【００８６】
このプラズマ表示装置は、第１実施例の場合と同様に、駆動の際に、表示電極Ｘ２とＹ２に交流電圧が印加されて、表示電極Ｘ２の電極突出部Ｘ２ｂと表示電極Ｙ２の電極突出部Ｙ２ｂとの間でそれぞれ放電ギャップｇ２を介してサステイン放電が発生される。
【００８７】
このとき、放電ギャップｇ２を挟んで対向する電極突出部Ｘ２ｂとＹ２、および、この電極突出部Ｘ２ｂ，Ｙ２ｂをそれぞれを被覆している電界電子放出層１３が放電空間を介して対向する位置に配置されていることによって、交流電圧の印加によって電界電子放出層１３から放電空間内に電子が放出されることにより、前述した理由によって、低消費電力によって高い発光効率を得ることができる。
【００８８】
なお、上記においては、電界電子放出層１３が表示電極Ｘ２およびＹ２の周囲にのみ形成されている例が示されているが、前面ガラス基板１の背面の全面に形成されるようにしても良い。
【００８９】
また、上記においては、選択電極Ｄが背面ガラス基板４側に形成されている例が示されているが、選択電極が表示電極と同じ前面ガラス基板側に配置されている場合であっても、同様の効果を得ることが出来る。
【実施例３】
【００９０】
図７および８は、この発明によるプラズマ表示装置の実施形態の第３実施例を示しており、図７はこの第３実施例におけるプラズマ表示装置を模式的に示す正面図、図８は図７のVIII−VIII線における断面図である。
【００９１】
この第３実施例のプラズマ表示装置の背面ガラス基板４側の構成は、前述した第１実施例の構成と同様であり、図７および８において、第１実施例と同一の構成部分には図１および２と同一の符号が付されている。
【００９２】
この図７および８において、前面ガラス基板１の背面には、この前面ガラス基板１の表示面側から見て隔壁６の横壁６Ａを挟んで上下位置に、それぞれ行方向に延びる厚膜の表示電極Ｘ３が形成されて、各表示電極Ｘ３が、隔壁６の横壁６Ａと横壁６Ｂによって区画された各放電セルＣ１の列方向において上部部分と下部部分に対向されている。
【００９３】
そして、前面ガラス基板１の背面の各放電セルＣ１の列方向における中央位置に対向する位置に、行方向に延びる厚膜の表示電極Ｙ３が形成されて、各放電セルＣ１毎に、両側に位置する表示電極Ｘ３と互いに等距離を保持するとともに、それぞれの間に放電ギャップｇ３を形成している。
【００９４】
この表示電極Ｘ３とＹ３は、それぞれ、この表示電極Ｘ３，Ｙ３に沿って行方向に延びる棒状の誘電体層２２によって被覆されている。
【００９５】
そして、この誘電体層２２の表面には、その全面を被覆するように、第１実施例と同様の、例えば、形状効果材料，負性電子親和力材料，カーボンナノチューブなど冷陰極材料のうちの何れか、または、これらの材料が任意に組み合わされた材料によって、電界電子放出層２３が形成されている。
【００９６】
このプラズマ表示装置は、第１実施例の場合と同様に、駆動の際に、表示電極Ｘ３とＹ３に交流電圧が印加されて、表示電極Ｙ３とその両側に位置する表示電極Ｘ３との間でそれぞれ放電ギャップｇ３を介してサステイン放電が発生される。
【００９７】
このとき、放電ギャップｇ３を挟んで対向する表示電極Ｘ３とＹ３、および、この表示電極Ｘ３，Ｙ３をそれぞれを被覆している電界電子放出層２３が放電空間を介して対向する位置に配置されていることによって、交流電圧の印加によって電界電子放出層２３から放電空間内に電子が放出されることにより、前述した理由によって、低消費電力によって高い発光効率を得ることができる。
【００９８】
そして、このプラズマ表示装置は、上記の効果に加えて、各放電セルＣ１毎に、表示電極Ｙ３とその両側に配置された二本の表示電極Ｘ３とによって二つの放電ギャップｇ３が形成されていることにより、放電空間内への電子の放出量が増加して、これにより、さらに消費電力の低下と発光効率の向上を図ることができる。
【００９９】
なお、上記においては、電界電子放出層２３が表示電極Ｘ３およびＹ３の周囲にのみ形成されている例が示されているが、前面ガラス基板１の背面の全面に形成されるようにしても良い。
【０１００】
また、上記においては、選択電極Ｄが背面ガラス基板４側に形成されている例が示されているが、選択電極が表示電極と同じ前面ガラス基板側に配置されている場合であっても、同様の効果を得ることが出来る。
【実施例４】
【０１０１】
図９は、この発明によるプラズマ表示装置の実施形態の第４実施例を、プラズマ表示装置を図２と同一方向（列方向）に断面して示す図である。
【０１０２】
この図９において、前面ガラス基板１の背面の隔壁６の横壁６Ａと横壁６Ｂによって区画された各放電セルＣ１の列方向における中央位置に対向する位置に、行方向に延びる厚膜の表示電極Ｘ４が形成されている。
【０１０３】
そして、この表示電極Ｘ４は、それぞれこの表示電極Ｘ４に沿って行方向に延びる棒状の誘電体層３２Ａによって被覆され、さらに、この誘電体層３２Ａの表面には、その全面を被覆するように、第１実施例と同様の、例えば、形状効果材料，負性電子親和力材料，カーボンナノチューブなど冷陰極材料のうちの何れか、または、これらの材料が任意に組み合わされた材料によって、電界電子放出層３３Ａが形成されている。
【０１０４】
一方、背面ガラス基板４上に形成された選択電極保護層５上の放電セルＣ１の列方向における中央位置に対向する位置に、行方向に延びるとともに表示電極Ｘ４に対向される厚膜の表示電極Ｙ４が形成されており、この表示電極Ｙ４と表示電極Ｘ４の間に放電ギャップｇ４が形成されている。
【０１０５】
そして、この表示電極Ｙ４は、表示電極Ｘ４と同様に、それぞれこの表示電極Ｙ４に沿って行方向に延びる棒状の誘電体層３２Ｂによって被覆され、さらに、この誘電体層３２Ｂの表面には、その全面を被覆するように、電界電子放出層３３Ａと同じ材料によって、電界電子放出層３３Ｂが形成されている。
【０１０６】
この第４実施例のプラズマ表示装置の他の部分の構成は、前述した第１実施例の構成と同様であり、図９において、第１実施例と同一の構成部分には図２と同一の符号が付されている。
【０１０７】
このプラズマ表示装置は、第１実施例の場合と同様に、駆動の際に、表示電極Ｘ４とＹ４に交流電圧が印加されて、前面ガラス基板１側の表示電極Ｘ４と背面ガラス基板４側の表示電極Ｙ４との間で放電ギャップｇ４を介してサステイン放電が発生される。
【０１０８】
このとき、放電ギャップｇ４を挟んで対向する表示電極Ｘ４とＹ４、および、この表示電極Ｘ４，Ｙ４をそれぞれを被覆している電界電子放出層３３Ａと３３Ｂが放電空間を介して対向する位置に配置されていることによって、交流電圧の印加によって電界電子放出層３３Ａと３３Ｂからそれぞれ放電空間内に電子が放出され、これによって、前述したように、低消費電力によって高い発光効率を得ることができる。
【０１０９】
なお、上記においては、選択電極Ｄが背面ガラス基板４側に形成されている例が示されているが、選択電極が表示電極と同じ前面ガラス基板側に配置されている場合であっても、同様の効果を得ることが出来る。
【０１１０】
また、上記実施例において、プラズマ表示装置の構成を、背面ガラス基板４側に配置される第２表示電極を各放電セルＣ１毎に島状に形成し、このそれぞれの第２表示電極を選択電極Ｄと電気的に接続して、この第２表示電極が選択電極Ｄと表示電極の機能を兼備した対向二電極構成にしても良い。
【実施例５】
【０１１１】
図１０は、この発明によるプラズマ表示装置の実施形態の第５実施例を、プラズマ表示装置を図２と同一方向（列方向）に断面して示す図である。
【０１１２】
この第５実施例のプラズマ表示装置の背面ガラス基板４側の構成は、前述した第１実施例の構成と同様であり、図１０において、第１実施例と同一の構成部分には図２と同一の符号が付されている。
【０１１３】
この図１０において、前面ガラス基板１の背面には、隔壁６の横壁６Ａに対向する位置に、それぞれ、前面ガラス基板１の背面から背面ガラス基板４側に突出するとともに行方向に延びる突出誘電体層４１が形成されている。
【０１１４】
この突出誘電体層４１には、一方の側面（図１０において左側面）上に、行方向に延びる表示電極Ｘ５が形成され、他方の側面（図１０において右側面）上に、行方向に延びる表示電極Ｙ５が形成されている。
【０１１５】
そして、行方向に隣接する突出誘電体層４１に形成されている表示電極Ｘ５とＹ５が、それぞれ隔壁６の横壁６Ａと横壁６Ｂによって区画された各放電セルＣ１毎に放電空間を挟んで対向されて、放電ギャップｇ５を形成している。
【０１１６】
この突出誘電体層４１は、その両側に形成された表示電極Ｘ５とＹ５とともに、それぞれ、この突出誘電体層４１に沿って行方向に延びる棒状の誘電体層４２によって被覆されている。
【０１１７】
そして、この誘電体層４２の表面には、その全面を被覆するように、第１実施例と同様の、例えば、形状効果材料，負性電子親和力材料，カーボンナノチューブなど冷陰極材料のうちの何れか、または、これらの材料が任意に組み合わされた材料によって、電界電子放出層４３が形成されている。
【０１１８】
このプラズマ表示装置は、第１実施例の場合と同様に、駆動の際に、表示電極Ｘ５とＹ５に交流電圧が印加されて、表示電極Ｘ５と表示電極Ｙ５との間でそれぞれ放電ギャップｇ５を介してサステイン放電が発生される。
【０１１９】
このとき、放電ギャップｇ５を介して対向する表示電極Ｘ５とＹ５、および、この表示電極Ｘ５，Ｙ５をそれぞれ被覆している電界電子放出層４３が放電空間を介して対向する位置に配置されていることによって、交流電圧の印加によって電界電子放出層４３から放電空間内に電子が放出されることにより、前述した理由により、低消費電力によって高い発光効率を得ることができる。
【０１２０】
なお、上記においては、選択電極Ｄが背面ガラス基板４側に形成されている例が示されているが、選択電極が表示電極と同じ前面ガラス基板側に配置されている場合であっても、同様の効果を得ることが出来る。
【実施例６】
【０１２１】
図１１は、この発明によるプラズマ表示装置の実施形態の第６実施例を、プラズマ表示装置を図２と同一方向（列方向）に断面して示す図である。
【０１２２】
この第６実施例のプラズマ表示装置の前面ガラス基板１側に配置された表示電極Ｘ１，Ｙ１と背面ガラス基板４側の構成は、前述した第１実施例の構成と同様であり、図１１において、第１実施例と同一の構成部分には図２と同一の符号が付されている。
【０１２３】
この図１１において、第１実施例と同様の態様で表示電極Ｘ１，Ｙ１が配置された前面ガラス基板１の背面の一面に誘電体層５２が形成されて、表示電極Ｘ１，Ｙ１が被覆されている。
【０１２４】
この誘電体層５２は、対になって対向する表示電極Ｘ１とＹ１の間の中央部分（放電ギャップｇ６が形成される部分）の厚さが他の部分の厚さよりも薄くなるように形成されていて、表示電極Ｘ１とＹ１の間に凹部５２Ａが形成されている。
【０１２５】
そして、この誘電体層５２上には電界電子放出層５３が形成されて、この電界電子放出層５３によって凹部５２Ａ内を含む誘電体層５２の全面が被覆されている。
【０１２６】
このプラズマ表示装置は、第１実施例の場合と同様に、駆動の際に、表示電極Ｘ１とＹ１に交流電圧が印加されて、表示電極Ｘ１と表示電極Ｙ１との間でそれぞれ放電ギャップｇ６を介してサステイン放電が発生される。
【０１２７】
このとき、放電ギャップｇ６を介して対向する表示電極Ｘ１とＹ１、および、この表示電極Ｘ１，Ｙ１をそれぞれ被覆している電界電子放出層５３が誘電体層５２の凹部５２Ａ内の放電空間を介して対向する位置に配置されていることにより、交流電圧の印加によって電界電子放出層５３から放電空間内に電子が放出されて、前述した理由により、低消費電力によって高い発光効率を得ることができる。
【０１２８】
なお、上記において、誘電体層５２の凹部５２Ａは、行方向に隣接する放電セルＣ１間において連続するように行方向に帯状に延びる形状に形成されていても良く、または、各放電セルＣ１毎に独立した島形状に形成されていても良い。
【０１２９】
また、図１１には、表示電極Ｘ１，Ｙ１の間に形成された凹部５２Ａの部分にも薄膜の誘電体層が形成されて、この凹部５２Ａに対向する前面ガラス基板１の背面部分が誘電体層によって被覆されている例が示されているが、この凹部５２Ａに対向する部分に誘電体層を形成することなく、電界電子放出層によって、直接、前面ガラス基板１の背面を被覆するようにしても良い。
【実施例７】
【０１３０】
図１２は、この発明によるプラズマ表示装置の実施形態の第７実施例を、プラズマ表示装置を図２と同一方向（列方向）に断面して示す図である。
【０１３１】
この第７実施例のプラズマ表示装置の前面ガラス基板１側に配置された表示電極Ｘ１，Ｙ１と背面ガラス基板４側の構成は、前述した第１実施例の構成と同様であり、図１２において、第１実施例と同一の構成部分には図２と同一の符号が付されている。
【０１３２】
この図１２において、第１実施例と同様の態様で表示電極Ｘ１，Ｙ１が配置された前面ガラス基板１の背面の一面に誘電体層６２が形成されて、表示電極Ｘ１，Ｙ１が被覆されている。
【０１３３】
この誘電体層６２は、前面ガラス基板１の背面の一面に亘ってほぼ同じ厚さに形成されており、従って、表示電極Ｘ１とＹ１上に重なる部分が背面ガラス基板４側に突出して、それぞれ行方向に延びる帯状の突条部６２Ａが形成され、そして、対になって対向する表示電極Ｘ１とＹ１の間の中央部分（放電ギャップｇ７が形成される部分）に、突条部６２Ａに挟まれた凹部６２Ｂが形成されている。
【０１３４】
そして、この誘電体層６２上には電界電子放出層６３が形成されて、この電界電子放出層６３によって凹部６２Ｂ内を含む誘電体層６２の全面が被覆されている。
【０１３５】
このプラズマ表示装置は、第１実施例の場合と同様に、駆動の際に、表示電極Ｘ１とＹ１に交流電圧が印加されて、表示電極Ｘ１と表示電極Ｙ１との間でそれぞれ放電ギャップｇ７を介してサステイン放電が発生される。
【０１３６】
このとき、放電ギャップｇ７を介して対向する表示電極Ｘ１とＹ１、および、この表示電極Ｘ１，Ｙ１をそれぞれ被覆している電界電子放出層６３が誘電体層６２の凹部６２Ｂ内の放電空間を介して対向する位置に配置されていることにより、交流電圧の印加によって電界電子放出層６３から放電空間内に電子が放出されて、前述した理由により、低消費電力によって高い発光効率を得ることができる。
【０１３７】
上記各実施例のプラズマ表示装置は、一対の基板が放電空間を介して互いに対向され、この一対の基板の間に少なくとも第１表示電極と第２表示電極が配置され、この第１表示電極と第２表示電極によって放電空間に単位発光領域が形成され、第１表示電極と第２表示電極が、それぞれ、一対の基板の何れかの基板の内面側に形成されて単位発光領域毎に対になっているとともに、誘電体層によって被覆され、前記誘電体層の表面が、対になっている第１表示電極と第２表示電極間に印加される交流電圧によって電子を放出する電界電子放出層によって被覆され、前記単位発光領域毎に対になっている第１表示電極と第２表示電極が、電界電子放出層と放電空間を挟んで放電ギャップを介して互いに対向されている実施形態のプラズマ表示装置を、その上位概念の実施形態としている。
【０１３８】
この上位概念を構成する実施形態のプラズマ表示装置によれば、第１表示電極と第２表示電極が、電界電子放出層および放電空間を介して対向する位置に配置されて、第１表示電極と第２表示電極間に放電が発生される際に電界電子放出層から放電空間内に電子が放出されるようになっていることによって、消費電力の低下を図ることが出来るとともに、高い発光効率を得ることができる。
【０１３９】
そして、放電の際に第１表示電極と第２表示電極間に交流電圧が印加されることによって、第１表示電極，第２表示電極と電界電子放出層をそれぞれ静電結合する誘電体層によって形成される静電容量が充電されてしまうことにより発生する電界電子放出層からの電子放出が停止した後、逆極性の電場が印加されることにより、交互に電子放出が継続される。
【図面の簡単な説明】
【０１４０】
【図１】この発明の実施形態における第１実施例を示す正面図である。
【図２】図１のII−II線における断面図である。
【図３】同実施例における静電容量の形成形態を示す説明図である。
【図４】放電ガス圧の変化に伴う放電開始電圧の変化の特性を示すグラフである。
【図５】この発明の実施形態における第２実施例を示す正面図である。
【図６】図５のVI−VI線における断面図である。
【図７】この発明の実施形態における第３実施例を示す正面図である。
【図８】図７のVIII−VIII線における断面図である。
【図９】この発明の実施形態における第４実施例を示す正面図である。
【図１０】この発明の実施形態における第５実施例を示す正面図である。
【図１１】この発明の実施形態における第６実施例を示す正面図である。
【図１２】この発明の実施形態における第７実施例を示す正面図である。
【符号の説明】
【０１４１】
１      …前面ガラス基板（基板）
２，１２，２２，３２Ａ，３２Ｂ，４２，５２，６２  …誘電体層
３，１３，２３，３３Ａ，３３Ｂ，４３，５３，６３ …電界電子放出層
４      …背面ガラス基板（基板）
６      …隔壁
６Ａ    …横壁（横壁部）
６Ｂ    …縦壁（縦壁部）
７      …蛍光体層
４１    …突出誘電体層
５２Ａ，６２Ｂ  …凹部
６２Ａ          …突条部
Ｃ１    …放電セル（単位発光領域）
Ｄ      …選択電極
Ｘ１，Ｘ２，Ｘ３，Ｘ４，Ｘ５  …表示電極（第１表示電極）
Ｙ１，Ｙ２，Ｙ３，Ｙ４，Ｙ５  …表示電極（第２表示電極）
Ｘ２ａ，Ｙ２ａ                …電極本体部
Ｘ２ｂ，Ｙ２ｂ                …電極突出部
ｇ１，ｇ２，ｇ３，ｇ４，ｇ５，ｇ６，ｇ７  …放電ギャップ
【図１】
2008066177.tif 000003
【図２】
2008066177.tif 000004
【図３】
2008066177.tif 000005
【図４】
2008066177.tif 000006
【図５】
2008066177.tif 000007
【図６】
2008066177.tif 000008
【図７】
2008066177.tif 000009
【図８】
2008066177.tif 000010
【図９】
2008066177.tif 000011
【図１０】
2008066177.tif 000012
【図１１】
2008066177.tif 000013
【図１２】
2008066177.tif 000014